(57)【要約】【課題】  ＡＤＦにおいて片面しか読取る手段を持たない画像形成装置で手動両面読み取りコピーを実行する際、処理が中断されても、当初指定されたコピー結果を取得することが可能となる画像形成装置を提供すること。【解決手段】  画像形成装置において表面読み取り後から裏面読み取り再開まで特定時間経過、もしくはコピー処理のジョブの中断指示を認識した時、原稿裏面の再セット待ちを解除する。これにより、それまで読取り済みの画像データを片面印刷しコピー処理のジョブを終了させることで、他のユーザが装置を使えるようにする。加えて、コピー処理のジョブを中断されたユーザに対しては、裏面読み取りから中断されたコピー処理を再開する手段を提供することで、中断前の表面読み取り処理と表面印刷処理を重複して実行することなく、所望の成果物を取得できるようにする。【選択図】図５
2020205464.tif 000002
【特許請求の範囲】
【請求項１】
原稿を読み取って画像データに変換する原稿読み取り手段と、
複数の原稿から１枚ずつを取り出して前記原稿読み取り手段に給送する原稿自動給送手段と、
前記原稿読み取り手段で読み取った画像データを保存する画像データ保存手段と、
前記画像データ保存手段に保存した画像データを印刷する画像印刷手段と、
処理の開始、終了、中断指示や各種設定切り替えを装置本体にユーザが入力し、装置の状態や次に実行するべきアクションをユーザに通知する操作手段と、
前記各手段を制御する制御手段を有し、
前記操作手段によって指示された原稿の両面読取コピーを実行する際、前記原稿自動給送手段に搭載された原稿を前記原稿読み取り手段によって順次読み取り、画像データ保存手段に保存している途中に中断処理条件を満たした際、処理を中断し、前記画像データ保存手段に蓄積された全画像データを印刷することを特徴とする画像形成装置。
【請求項２】
前記中断処理条件に前記操作手段によるユーザキャンセルを含むことを特徴とする請求項１に記載の画像形成装置。
【請求項３】
更に各処理のタイミングや処理時間、経過時間を監視、計測するタイマ手段を有し、前記中断処理条件に前記タイマ手段により、装置に対して外部から入力がない状態が一定時間経過したことが計測できたことを含むことを特徴とする請求項１又は請求項２に記載の画像形成装置。
【請求項４】
前記中断処理条件に外部処理装置からの何らかの指示、リクエストが来たことを検知したことを含むことを特徴とする請求項１乃至請求項３の何れか一項に記載の画像形成装置。
【請求項５】
前記中断処理条件に外部処理装置から送信されたデータを受信したことを検知したことを含むことを特徴とする請求項１乃至請求項４の何れか一項に記載の画像形成装置。
【請求項６】
更に前記操作手段でユーザにより実行指示された時の設定情報と、読み取り済原稿のページ情報や印刷済原稿のページ情報をコピー処理のジョブの履歴として保存する履歴保存手段を有し、前記中断処理を実行する際に、前記各手段に設定されていた情報をコピー処理のジョブの中断履歴として関連付けて保存することを特徴とする請求項１乃至請求項５の何れか一項に記載の画像形成装置。
【請求項７】
更に、前記操作手段により前記履歴保存手段に保存された履歴から特定のコピー処理のジョブの履歴を選択する履歴選択手段と、コピー処理のジョブの履歴から中断前の設定を再現し、各手段に反映させる中断設定再現手段を有し、前記履歴選択手段から中断したコピー処理のジョブの再開処理を選択された場合、中断設定再現手段により再現された設定を各手段に反映させ、ユーザによる原稿、印刷用紙の準備が完了したら、前記原稿自動給送手段に搭載された原稿を前記読取手段によって順次読み取り、画像データ保存手段に蓄積し、読み取り済み原稿のページ情報や印刷済み原稿のページ情報に基づき印刷することを特徴とする請求項６に記載の画像形成装置。
【請求項８】
更に、原稿の表面と裏面を印刷用紙の表と裏に印刷する両面印刷手段と、前記操作手段により両面印刷を指定する両面印刷指定手段を有し、両面印刷指定手段による処理が実行されている時、前記中断条件を満たし処理を中断する際には画像データ保存手段に蓄積された画像データを片面印刷することを特徴とする請求項１乃至請求項７の何れか一項に記載の画像形成装置。
【請求項９】
更に、両面印刷が指定された際、装置の前記各手段に対して片面印刷時とは異なる両面印刷用の各設定をそれぞれに反映する両面印刷用設定反映手段を有し、両面印刷が指定されている場合、前記中断処理において前記画像データ保存手段に蓄積された全画像データを印刷する際、一部の設定、制御用パラメータに関しては片面印刷用の物に切り替えることなく、両面印刷用の物で印刷を実行し、また、コピー処理のジョブの再開処理においても同様に両面印刷用の物を用い印刷処理を実行することを特徴とする請求項８に記載の画像形成装置。
【請求項１０】
前記中断処理において片面印刷に切り替わった際、前記切り替えない設定、制御用パラメータの中に、原稿の読み取り順序や原稿の読み取り方向に関する情報、前記原稿読み取り手段や前記画像印刷手段における画像処理設定情報、画像データの変倍率や配置場所の印刷用紙上のレイアウト情報を含むことを特徴とする請求項９に記載の画像形成装置。
【請求項１１】
更に、表面、裏面を含む複数枚の原稿を印刷用紙の片面に並べて印刷するＮｉｎ１印刷手段と、前記操作手段によりＮｉｎ１印刷を指定するＮｉｎ１印刷指定手段を有し、Ｎｉｎ１印刷指定手段による処理が実行されている時、前記中断条件を満たし処理を中断する際には画像データ保存手段に蓄積された画像データのみでＮｉｎ１印刷することを特徴とする請求項１乃至請求項９の何れか一項に記載の画像形成装置。
【請求項１２】
更に、Ｎｉｎ１印刷が指定された際、装置の前記各手段に対して通常印刷時とは異なるＮｉｎ１印刷用の各設定をそれぞれに反映するＮｉｎ１印刷用設定反映手段を有し、Ｎｉｎ１印刷が指定されている場合、前記中断処理において前記画像データ保存手段に蓄積された全画像データを印刷する際、一部の設定、制御用パラメータに関しては片面に印刷する画像データが不足している状態のＮｉｎ１印刷用の物に切り替えることなく、画像データが全て揃った状態のＮｉｎ１印刷用の物で印刷を実行し、また、コピー処理のジョブの再開処理においても同様に画像が全て揃った状態のＮｉｎ１印刷用の物を用い印刷処理を実行することを特徴とする請求項１１に記載の画像形成装置。
【請求項１３】
前記中断処理による印刷の際、前記切り替えない設定、制御用パラメータの中に、原稿の読み取り順序や原稿の読み取り方向に関する情報、前記原稿読み取り手段や前記画像印刷手段における画像処理設定情報、変倍率や配置場所の印刷用紙上のレイアウト情報を含むことを特徴とする請求項１２に記載の画像形成装置。
【請求項１４】
前記中断処理の再開時に、前記操作手段によりユーザに原稿をどのように前記原稿自動給送手段にセットするか、印刷用紙をどのようにセットするかを通知し、ユーザのセット完了を認識してからコピー処理のジョブを再開することを特徴とする請求項７乃至請求項１３の何れか一項に記載の画像形成装置。
【発明の詳細な説明】
【技術分野】
【０００１】
本発明は、画像形成装置に関わり、特に画像読み取り装置を備えた画像形成装置に関する。
【背景技術】
【０００２】
従来の画像形成装置、画像読み取り装置等において、原稿トレイ上に積載された原稿を１枚ずつに分離して搬送する過程で各面の画像情報を読取る手段として、ＡＤＦ（Auto DocumentFeeder）が古くから知られている。ＡＤＦ内部に原稿反転機構を備えていれば両面原稿の読み取りを自動で行うことができる。
【０００３】
複数の両面原稿を読み取る場合を例にとると、まず１枚目の原稿表面を読み取り装置で読み取り、画像をメモリに保存する。次にＡＤＦ内部の原稿反転機構により原稿を反転し、原稿裏面の読み取り、保存を行う。その後２枚目以降の原稿にも１枚目と同様の処理を繰り返すことで複数の両面原稿読み取りを行うことができる。また、ＡＤＦ内部に原稿反転機構を備えるのではなく、読み取りセンサを両面に配置することで両面原稿を自動で読み取ることができる画像読み取り装置も存在する。ただし、これら原稿反転機構や両面読み取りセンサを備えるとコストアップするというデメリットがある。
【０００４】
そこで、片面読み取り装置で両面原稿を読み取る方法として、特許文献１に記載の技術がある。このような画像読み取り装置では複数の両面原稿の読み取り手順も異なる。まずすべての原稿の表面を画像読み取り装置で読み取り、画像をメモリに保存する。次に排紙トレイの原稿をユーザに手動で反転させ、再度原稿トレイに積載させる。その後すべての原稿の裏面の読み取り、保存を行う。また、読み取り画像の使用方法（印刷やファイル保存等）や処理順の違いによっては、必要に応じて表面画像と裏面画像が所望のページ順となるように並べ替えを行う。
【０００５】
このような手段を用い両面原稿を読み取り、メモリに保存した画像データを印刷する両面読み取りコピーが存在する（以下、手動両面読み取りコピー）。このようなコピー処理においては、表面読み取り後にユーザによる再セットが行われない限り印刷処理が始まらないので、ユーザのアクション待ちといった状態が発生する。この間は実行ユーザの専有状態となり、他のユーザが画像処理装置を使えなくなるといった問題が発生し、結果本体の稼働率を下げる要因となってしまう。
【０００６】
このような問題を解決するため特許文献２では、他のユーザが装置を割り込みで使いたい場合には処理を中断させ、それまで読み取った画像データを装置本体内部のメモリに退避させるという方法を提案している。
【先行技術文献】
【特許文献】
【０００７】
【特許文献１】特開平９‐３７０４３号公報
【特許文献２】特開２００５−２７７５３２号公報
【発明の概要】
【発明が解決しようとする課題】
【０００８】
しかしながら、上記の特許文献２のような方法では、原稿のページ枚数に対して本体内部のメモリの残容量が十分でない場合、中断前に読み込んだ画像データを全てメモリに保存しきれないケースが存在する。この場合、手動両面読み取りコピーのジョブ全体をキャンセルするしかないので、読み込み済みの画像データは全て破棄される。そのため、手動両面読み取りコピーを再実行する際には、表面の最初から読み取り処理を実行しなおさなければならない。メモリに保存できたとしても、メモリ内の画像データが解放されるまで使用可能なメモリ残容量はその分少なくなる。そのため、以後メモリ容量を必要とするコピーの実行に制限がかかるといった問題が発生する。
【０００９】
本発明は、上記の問題を解決するためになされたものであって、ＡＤＦにおいて片面しか読取る手段を持たない画像形成装置で手動両面読み取りコピーを実行する際、処理が中断されても、当初指定されたコピー結果を取得することが可能となる画像形成装置を提供することを目的とする。
【課題を解決するための手段】
【００１０】
上記の目的を達成するために、本発明に係る画像形成装置は、
ＡＤＦによって搬送された原稿の片面を読み取り画像データに変換する原稿読み取り手段と、
前記読み取り手段で読み取った画像データを保存する画像データ保存手段と、
前記画像データ保存手段に保存した画像データを印刷する画像印刷手段と、
処理の開始、終了、中断指示や各種設定切り替え等を前記画像形成装置にユーザが入力し、装置の状態や次に実行するべきアクションをユーザに通知する操作手段と、
各処理のタイミングや処理時間、経過時間を監視、計測するタイマ手段と、
前記各手段を制御する制御手段を有する画像形跡装置において、
前記操作手段によって手動両面読み取りコピーの実行をユーザから指示された際、ＡＤＦに搭載された原稿の表面を前記原稿読み取り手段によって順次読み取り、前記画像データ保存手段に保存する。搭載された全原稿の読み取り終了を検知したら、裏面の読取のために原稿を反転させてＡＤＦに再セットするようにユーザに通知する。前記タイマ手段によってこの通知後ユーザからの指示が無い状態が一定時間経過したことがカウントされた場合、画像形成装置の使用権限を開放するために中断処理を実行する。同様に再セット通知中に前記操作手段により処理の中断が指示された場合、他のユーザによる割り込み処理が発生したと認識し、使用権限を開放するために中断処理を実行する。中断処理において前記画像形成装置では、前記ＡＤＦへの再セット通知を取り止め、前記画像データ保存手段に蓄積された全画像データを前記印刷手段で片面印刷することを特徴とする。
前記画像形成装置において、
前記操作手段でユーザにより実行指示された時の設定情報を手動両面読み取りコピーのジョブの履歴として保存する履歴保存手段と、
前記操作手段により前記履歴保存手段に保存された履歴を選択する履歴選択手段を有する場合、
前記中断処理を実行する際に、その時に装置の前記各手段に設定されていた情報を手動両面読み取りコピーのジョブの中断履歴として関連付けて保存する。中断後、ユーザから中断された手動両面読み取りコピージョブの再開が指定された場合、手動両面読み取りコピージョブの再開処理を開始する。この再開処理では、前記履歴選択手段によって選択された情報を基に中断前の設定を再現し、装置の前記各手段に反映させる。設定反映後、前記操作手段を用い、裏面読み取りのために原稿を反転させてＡＤＦに再セットするように通知すると共に、印刷用紙を適切な形で前記印刷手段にセットするように通知する。原稿、用紙共にセットできたことが認識できたら、ＡＤＦに搭載された原稿の裏面を前記読取手段によって順次読み取り、前記画像データ保存手段に蓄積する。蓄積後、順次画像データ保存手段内のデータを前記印刷手段で順次片面印刷する。
【発明の効果】
【００１１】
本発明に係る画像形成装置によれば、手動両面読み取りコピー実行時、裏面の読み取りを開始する前に存在していたユーザアクション待ちの時間に処理を中断しても、それまでに読み取った画像データは印刷される。中断後、原稿の裏面を原稿読み取り手段に、表面印刷済みの印刷用紙を再度画像印刷手段にセットして再開することで、最終的にユーザが所望の印刷結果が得られる。これは、ユーザが中断前の原稿の再読み取りと印刷を再度実施する必要が無いということであり、中断前の作業が無駄にならないということでもある。これにより、再開後の作業効率が上がり、結果、ユーザにとって中断する、されることが負荷にならないことにもつながる。中断が負荷にならないので、各ユーザによるユーザアクション待ち時間における作業の割り込みが増加し、装置が動いていない時間の減少、稼働効率が上がるといった効果にもつながる。
【図面の簡単な説明】
【００１２】
【図１】本発明の実施例１、２に係わる画像形成装置（ＭＦＰ）の構成を示すブロック図
【図２】本発明の実施例１、２における画像形成装置（ＭＦＰ）のシート読取制御部に付属するＡＤＦの断面の概略図
【図３】本発明の実施例１、２における画像形成装置（ＭＦＰ）のＡＤＦにセット・排出する原稿の順序と向きの関係図
【図４】本発明の実施例１における画像形成装置（ＭＦＰ）の操作部（両面印刷コピーサポート）の画面表示図
【図５】本発明の実施例１における手動両面読み取り両面印刷コピー実行時の処理フロー
【図６】本発明の実施例１における手動両面読み取り両面印刷コピー再開時の処理フロー
【図７】本発明の実施例１における読み取り対象となる原稿と成果物である印刷物の概略図
【図８】本発明の実施例２における画像形成装置（ＭＦＰ）の操作部（２ｉｎ１印刷コピーサポート）の画面表示図
【図９】本発明の実施例２における手動両面読み取り２ｉｎ１印刷コピー実行時の処理フロー
【図１０】本発明の実施例２における手動両面読み取り２ｉｎ１印刷コピー再開時の処理フロー
【図１１】本発明の実施例２における読み取り対象となる原稿と成果物である印刷物の概略図
【発明を実施するための形態】
【００１３】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【実施例】
【００１４】
図１は、本実施例の画像形成装置（ＭＦＰ）１００の構成を示すブロック図である。
【００１５】
ＣＰＵ１０１は、システム制御部であり、画像形成装置全体を制御する。ＲＯＭ１０２は、ＣＰＵ１０１の制御プログラムやオペレーティングシステム（ＯＳ）プログラムなどを格納するものである。また、２値画像の符号化復号化のための、ＭＨ、ＭＲ、ＭＭＲ、ＪＢＩＧの圧縮伸長処理、画像に対するＪＰＥＧ圧縮伸長処理が格納されている。
【００１６】
ＲＡＭ１０３は、ＳＲＡＭ等で構成され、プログラム制御変数等を格納するためのものである。また、オペレータが登録した設定値や手動両面読み取りコピーの履歴情報、装置の管理データ等や各種ワーク用バッファもＲＡＭ１０３に格納されるものである。画像メモリ１０４は、ＤＲＡＭ等で構成され、画像データを蓄積するものである。本実施例では、ＲＯＭ１０２に格納されている各制御プログラムは、ＲＯＭ１０２に格納されたＯＳの管理下でスケジューリングやタスクスイッチなどのソフトウエア制御が行われるものとする。操作部１０５は、各種キー、ＬＥＤ、ＬＣＤ等で構成され、オペレータによる各種入力操作や、画像処理装置の動作状況の表示などを行うものである。
【００１７】
読取制御部１０６は、読取部１０７においてＣＳイメージセンサ（密着型イメージセンサ、以下ＣＳ）で原稿を光学的に読み取り、Ａ／Ｄ変換してデジタル画像データに変換するものである。また、読取画像処理制御部１１２は読取制御部１０６が生成したデジタル画像データに対し、ＣＳの特性等を踏まえた補正を行い高精細な画像データを出力するものである。読取画像処理制御部１１２における処理によって、ＣＳイメージセンサの状態や装置の使用環境等に起因する読取信号のばらつきを補正した画像データを得ることができる。なお、本実施例における読取制御部１０６は、複数の原稿から１枚ずつ原稿を取り出して読取部１０７に給送する原稿自動給送装置（以下、ＡＤＦ）により原稿を搬送しながら読取を行うシート読取制御部１０８を持つ。それに加え、読取部１０７のＣＳを移動させて原稿台にある原稿をスキャンするブック読取制御部１０９にも対応し、いずれかの読取方式を選択して読取制御を行うものとする。
【００１８】
ＪＰＥＧ処理部１１３は、画像のＪＰＥＧ圧縮伸長を行うものである。記録画像処理制御部１１４は、読み取り部１０７と読み取り制御部１０６で読み取られた読取画像の輝度信号（ＲＧＢやＹＣＣ等）を入力として、印刷データを生成するものである。
【００１９】
記録制御部１１５では、インクジェットプリンタ等のカラープリンタ１１６においてプリンタステータス情報の取得や、記録制御を行い、記録画像処理制御部１１４で生成した印刷データをカラープリンタ１１６に出力する記録する。カラープリンタ１１６は印刷用紙の自動反転機構を持ち、両面印刷が指定されている場合には、記録制御部１１５の指示に従い片面印刷後に印刷用紙を反転し、裏面に画像データの印刷処理を実施する。
【００２０】
通信制御部１１１は、ＭＯＤＥＭ（変復調装置）、ＮＣＵ（網制御装置）などにより構成されるものである。本実施例における通信制御部１１１は、アナログの通信回線（ＰＳＴＮ）に接続され、Ｔ３０プロトコルでの通信制御、通信回線に対する発呼および着呼などの回線制御を行うものである。
【００２１】
コンピュータインターフェイス１１７は、情報処理端末に接続するためのインターフェイスである。また、情報処理端末２００には、画像形成装置１００をリモート操作するためのアプリケーションソフトウェアがインストールされているものとする。
【００２２】
図２は、シート読取制御部１０８に付随するＡＤＦの断面の概略図である。
【００２３】
ＡＤＦによる読み取りは、読取部１０７のＣＳを固定させ、読み取り対象となる原稿を図２の矢印のように搬送することによって原稿全体の読み取り処理を実施する構成である。読み取り対象となる原稿はＡＤＦの原稿投入口３０２に重ねてセットされる。積載された原稿は、上から順に搬送モータ３０１によって矢印の方向に引き込まれ、読取部１０７のＣＳの真上にある原稿読み取り地点に向けて搬送される。ページ先頭が原稿読み取り地点に到達したことを検知したら読取部１０７のＣＳはページ終端が原稿読み取り地点を通過するまで読み取りつづけ、順次画像データに変換していく。ページ終端まで読み取り終了した原稿は読取済原稿置き場３０３に積載される。これらの処理を原稿投入口３０２に原稿が無くなるまで繰り返すことで複数ページの読み取り処理を実現する。
【００２４】
図３は、コピー処理実行時に、シート読取制御部１０８によって制御されるＡＤＦに読取対象となる原稿をセットする際の原稿の順序と向きと、読取終了後ＡＤＦから排出された原稿の順序と向きを示した図である。文字の向きで原稿の上下を、垂直方向の矢印下にある原稿に上にある原稿が重なる形で配置、積載されることを図示している。
【００２５】
３ページの原稿の表面を読み取る場合、図３の（ａ）の原稿１ページ目４００ａ原稿２ページ目４００ｂ、原稿３ページ目４００ｃのようなページ順序、向きでＡＤＦの原稿投入口３０２にセットし、読み取り処理を開始する。ＡＤＦに積載された原稿は上に置かれた物から順に搬送方向に向かって搬送される。そのため本体内部でも原稿１ページ目４００ａ、原稿２ページ目４００ｂ、原稿３ページ目４００ｃとして処理される。
【００２６】
搬送され、読取部１０７のＣＳによる読み取り処理終了後、読取済原稿置き場３０３には原稿１ページ目４００ａ、原稿２ページ目４００ｂ、原稿３ページ目４００ｃが図３の（ｂ）のような向き、順序で各ページが排出される。搬送路の関係から原稿投入口３０２にセットされた時（図３の（ａ））とは表裏逆、かつ原稿の方向は天地逆になった形で積載される。
【００２７】
上記表面読み取り終了後の原稿を用いて裏面を片面コピーする場合、ページ順等のページ情報、天地方向等の原稿の向きに関する情報を表面のそれに合わせようとすると、図３の（ｃ）のような順序、向きでＡＤＦの原稿投入口３０２にセットしてやる必要がある。図３の（ｂ）のように読取済原稿置き場３０３に積載された状態から、原稿１ページ目４００ａ、原稿２ページ目４００ｂ、原稿３ページ目４００ｃを表面のそれに合わせて原稿の上下、天地、ページ順をユーザが入れ替えて設置しなければならない。これら原稿の並び替え、入れ替え作業は、非効率な作業になってしまっていて、ユーザにとって大きな負荷になってしまっている。
【００２８】
このような非効率な状態を改善するための手段として手動両面読み取りコピーにおいては、ユーザが裏面読取時に図３の（ｂ）にように読取済原稿置き場３０３に積載された順序、向きのままＡＤＦの原稿投入口３０２にセットすることを前提としている。実行時には図３の（ｄ）の原稿３ページ目４００ｃ、原稿２ページ目４００ｂ、原稿１ページ目４００ａの順で、かつ表面とは天地逆で搬送され、読取部１０７のＣＳで読み込まれ、画像データに変換後、画像メモリ１０４に保存される。保存されたデータを印刷時に記録制御部１１５によって、印刷順序、原稿の向きを表面のそれと合わせた形に変換する。これにより、前述の非効率な作業の手間を省きつつ、ユーザが望む成果物を出力することを可能にしている。
【実施例１】
【００２９】
本実施例では手動両面読み取り・両面印刷コピーに関する実施例を記載する。
【００３０】
図４は、コピー処理実行時、操作部１０５に表示される画面である。
【００３１】
画面５００は待機画面であり設定ボタン５００ａを押下されると５０１のコピー設定画面に遷移する。モノクロボタン５００ｂあるいはカラーボタン５００ｃを押下されるとコピー処理を開始する。モノクロボタン５００ｂ押下の場合にはモノクロ印刷、カラーボタン５００ｃ押下の場合にはカラー印刷を行う。
【００３２】
画面５０１はコピーに関する各種の設定を行う画面である。ボタン５０１ａから５０１ｄを押下されると各設定を行う画面に遷移する。
【００３３】
画面５０２は、コピーに関する設定の中で読取の設定を行う画面である。ボタン５０２ａにより片面読取が設定された場合には、コピー実行時に原稿の表面のみを読取って印刷を行う。ボタン５０２ｂにより両面読取が設定された場合には、原稿の表面・裏面の両方を読み取って印刷を行う。
【００３４】
画面５０３は、コピーに関する設定の中で印刷の設定を行う画面である。ボタン５０３ａによって片面印刷が設定された場合には、コピー実行時に用紙の片面のみに印刷を行う。ボタン５０３ｂによって両面印刷が設定された場合に用紙の両面に印刷を行う。
【００３５】
画面５０４は、原稿の表面を読み取るために、ユーザに原稿のセットを指示する画面である。読取開始ボタン５０４ａを押下されると原稿台、もしくはＡＤＦに置かれた原稿の読取りを開始する。
【００３６】
画面５０５は、原稿の裏面を読み取るために、ユーザに原稿のセットを指示する画面である。読取開始ボタン５０５ａを押下されると原稿台、もしくはＡＤＦに置かれた原稿の読取りを開始する。処理中断ボタン５０５ｂを押下されると実行中のコピー処理を中断し、中断履歴存在時のコピー待機画面５０８に移行する。この際、中断されたコピー処理の設定をタイムスタンプと共に中断履歴として関連付け、ＲＡＭ１０３に保存する。
【００３７】
画面５０６は、原稿を読取り中である旨をユーザに通知する画面である。
【００３８】
画面５０７は、印刷中である旨をユーザに通知する画面である。
【００３９】
画面５０８は、ＲＡＭ１０３に中断履歴が存在している際に表示される待機画面である。中断履歴確認ボタン５０８ａを押下されると履歴選択画面５０９へ移行し、ユーザに再開するコピー処理の選択を促す。
【００４０】
画面５０９は中断履歴の選択画面である。ＲＡＭ１０３に保存してある全ての中断履歴を履歴ボタン５０９ａ、５０９ｂのように表示し、対象をユーザに選択させる。選択後、再開決定ボタン５０９ｃを押下することで実行するコピー処理を確定させる。
【００４１】
画面５１０は再開決定ボタン５０９ｃの押下により中断したコピー処理の再開が選択された時に表示される画面である。ユーザに対して、中断したコピー処理の再開のために準備を促す。読取開始ボタン５１０ａを押下されると原稿台、もしくはＡＤＦに置かれた原稿の読み取りを開始し、画面５０６へ移行する。読み取り終了後は印刷処理への移行に同期し、画面５０７へ移行する。
【００４２】
図５は、画像形成装置においてＡＤＦ手動両面読み取り・両面印刷コピー実行時の処理を示すフローである。
【００４３】
本処理はＣＰＵ１０１が制御プログラムに基づき実行する。操作部１０５のＬＣＤに表示された待機画面５００において、モノクロボタン５００ｂあるいはカラーボタン５００ｃが押されると本処理を開始する。
【００４４】
ステップＳ１０１で、原稿をセットする画面５０４を操作部１０５のＬＣＤに表示し、ステップＳ１０２にて読取り開始の指示を待つ。
【００４５】
ユーザにより原稿がＡＤＦの原稿投入口３０２にセットされ、操作画面５０４の読取開始ボタン５０４ａが選択されると、ステップＳ１０３で原稿読取り中画面５０６を操作部１０５のＬＣＤに表示する。そして、読取り制御部１０６によりＡＤＦの原稿投入口３０２におかれた複数の原稿を順次読み取る。本ステップによってＡＤＦの原稿投入口３０２に搭載された全ての原稿の表面を読み取り、画像データに変換した後、画像メモリ１０４に記憶する。
【００４６】
次に、ステップＳ１０４で原稿の裏面を読み取ることができる状態でＡＤＦの原稿投入口３０２にセットするように促す画面５０５を操作部１０５のＬＣＤに表示し、ステップＳ１０７にてユーザからの読取り開始の指示を待つ。ユーザにより原稿がＡＤＦの原稿投入口３０２にセットされて操作画面５０５の読取開始ボタン５０５ａが選択されると、ステップＳ１０８で原稿読取り中画面５０６を操作部１０５のＬＣＤに表示する。そして、読取り制御部１０６によりＡＤＦの原稿投入口３０２におかれた複数の原稿を順次読み取る。本ステップによって全ての原稿の裏面を読み取り、画像データに変換した後、画像メモリ１０４に記憶する。
【００４７】
ステップＳ１０９において、コピー実行中画面５０７を操作部１０５のＬＣＤに表示する。そして、画像メモリ１０４に記憶した画像データを印刷設定に従って記録画像処理制御部１１４により印刷データに変換し、記録制御部１１５とカラープリンタ１１６により印刷する。本実施例では両面印刷が指定されているので、記憶画像処理制御部１１４では原稿の裏移り防止に配慮した両面印刷用の画像処理パラメータを用い変換処理を実行する。同様に記録制御部１１５は、対象ページの表面を印刷後、印刷用紙の反転機構を用い表面印刷済みの用紙を反転、裏面を印刷した後、排紙というように制御する。
【００４８】
上記ステップＳ１０４において、ユーザに対して原稿の裏面を読み取ることができる状態でＡＤＦの原稿投入口３０２にセットすることと、読取の開始指示の実行を促した状態に移行する。その後、ＣＵＰ１０１は内部タイマを用い、ユーザからの指示が無い時間のカウントを開始する。ステップＳ１０５においてこの時間が一定時間時間経過したことが認識できた場合、タイムアウトと判断し、他のユーザが画像処理装置を使えるようにするために手動両面読み取りコピーの処理中断フロー（ステップＳ１１０〜ステップＳ１１２）に移行する。
【００４９】
同様に、上記ステップＳ１０４において、ユーザに対して原稿の裏面を読み取ることができる状態でＡＤＦの原稿投入口３０２に原稿をセットすることと読取の開始指示の実行を画面５０５で促す。その後、ステップＳ１０７において読取開始ボタン５０５ａが押下され裏面の読取が開始されるまでの間、ステップＳ１０６で処理の中断指示の有無を監視する。ユーザが中断ボタン５０５ａを押したことが認識できた場合、画像形成装置は他のユーザによる割り込み処理が発生したと認識する。そして、割り込みユーザが装置を使えるようにするために手動両面読み取りコピー処理の中断フロー（ステップＳ１１０〜ステップＳ１１２）を実行する。
【００５０】
手動両面読み取りコピー処理の中断フローでは、ステップＳ１１０において、それまで実行していた手動両面読み取りコピーの設定情報をその履歴と共にＲＡＭ１０３に保存する。この履歴には、画面５０１、５０２、５０３で設定された設定情報、中断時のタイムスタンプや実行ユーザを特定するための情報等、中断した手動両面読み取り・両面印刷コピー処理のジョブを選択するための詳細情報も含まれている。
【００５１】
ステップＳ１１１において、記録制御部１１５に対して、それまで設定されていた両面印刷設定から片面印刷設定への切り替えを指示する。その際、片面印刷設定に切り替えるのは用紙搬送等に使われる記録制御１１５に関する設定とカラープリンタ１１６の制御だけで、記録画像処理制御部１１４で使用される画像処理パラメータ等は両面印刷設定のまま処理を実行する。
【００５２】
ステップＳ１１２において、ステップＳ１０３において画像メモリ１０４に保存していた原稿の表面の画像データを片面印刷する。
【００５３】
これらステップＳ１１０からステップＳ１１２の手動両面読み取りコピーの処理中断フローを通すことで、両面印刷時に実施される画像処理を施した片面印刷コピー出力が成果物として出来上がる。
【００５４】
図６は、図５のステップＳ１１０〜ステップＳ１１２の手動両面読み取りコピーの処理中断フローにおいて処理が中断された後のフローである。中断後、片面のみ印刷されたコピー成果物を取得したユーザが両面読み取り、かつ両面印刷された成果物を取得するためにコピー処理を再開するものとする。
【００５５】
ステップＳ２０１で、図５のステップＳ１１０においてＲＡＭ１０３に保存した中断履歴が存在するかどうかを確認する。履歴が存在しない場合には中断された手動両面読み取り・両面印刷コピー処理のジョブの再開フローではないので本フローを終了し、図５のステップＳ１０１へ移行する。存在する場合にはステップＳ２０２へ移行する。
【００５６】
ステップＳ２０２で、操作部１０５のＬＣＤに中断履歴存在時のコピー待機画面５０８を表示し、ユーザが再開する手動両面読み取り・両面印刷コピー処理のジョブを選択し、再開指示を行うのを待つ。
【００５７】
ステップＳ２０３において、履歴確認ボタン５０８ａが押下されたことを認識したら、履歴選択画面５０９を操作部１０５のＬＣＤに表示する。次に決定ボタン５０９ｃが押下されたことを認識したら、選択されている中断履歴５０９ｂの再開が指示されたと認識し、中断した手動両面読み取り・両面印刷コピー処理のジョブの再開フローを開始する。
【００５８】
ステップＳ２０４において、操作部１０５のＬＣＤに再開時の処理中画面５１０を表示する。画面５１０を表示することでユーザに原稿の裏面を読み取るための準備を促す。この際、ＡＤＦの原稿投入口３０２への原稿セットの仕方として、手動両面読み取りコピーの裏面を読み取る際と同じ図３の４０３のようにセットすることも指示する。同時に、カラープリンタ１１６の給紙口に図５のＳ１１２で出力された片面印刷コピー結果の裏面に、新たに読み取った原稿を印刷するための準備も促す。
【００５９】
ユーザによって、原稿のセット、用紙のセットがされ処理中画面５１０の読取開始ボタン５１０ａが押されたら、ステップ２０５において、ＲＡＭ１０３に保存された中断履歴に基づき、中断前に反映されていた設定情報を各制御部に反映させる。記録画像処理制御部１１４に対しては両面印刷実行時の画像処理パラメータの反映を、記録制御部１１５に対しては中断せずに両面読取両面印刷した時と同じページ配置になるように読取画像データの印刷順序を指定する。
【００６０】
ステップＳ２０６において、ＡＤＦの原稿投入口３０２に置かれた複数の原稿を順次読み取り、操作部１０５のＬＣＤには読取中画面５０６を表示する。読み取った画像は画像データに変換し、画像メモリ１０４に記憶する。
【００６１】
ステップＳ２０７において、コピー中画面５０７を操作部１０５のＬＣＤに表示する。そして、画像メモリ１０４に記憶した読取り画像データを、ステップＳ２０５において反映させた設定に従って、記録画像処理制御部１１４を用い、印刷データに変換する。変換後、同じくステップＳ２０５において反映させた設定で記録制御部１１５、カラープリンタ１１６を制御し、印刷データを印刷する。この際、画像メモリに対してはページ順が降順に、かつ原稿の向きが天地逆になって格納されるが、記憶制御部１１５で１ページ目から順になるように並び替えられ、かつ向きも天地を反転させて印刷する。全原稿のコピー処理が終了したら、ＲＡＭ１０３に保存されていた、ステップＳ２０３において選択され、再開し、印刷完了した手動両面読み取り・両面印刷コピー処理のジョブの中断履歴を削除する。
【００６２】
図７は、本実施例における読み取り対象となる原稿と成果物である印刷用紙の概略図である。
【００６３】
図７の（ａ）は実施例における手動両面読み取り・両面印刷コピーを中断することなく実行した際の原稿６００と印刷物用紙６０１を示した図である。まず、ＡＤＦの原稿投入口３０２に置かれた原稿６００の表面６００ａを読み取り、次に原稿６００の裏面６００ｂを読み取る。読み取られたデータは画像データに変換後、画像メモリ１０４に保存され、記録制御部１１５とカラープリンタ１１６により印刷用紙６０１の表面６０１ａ、裏面６０１ｂと順々に印刷される。この印刷結果が手動両面読み取り・両面印刷コピー処理のジョブの実行を指示したユーザが所望する成果物であり、図５の中断が無いフロー（Ｓ１０１〜Ｓ１０９）の処理を実行した際の成果物となる。
【００６４】
図７の（ｂ）は本実施例の手動両面読み取り・両面印刷コピーを中断した際の原稿６００と印刷用紙６０２を示した図である。ＡＤＦの原稿投入口３０２に置かれた原稿６００の表面６００ａを読み取り、図５のステップＳ１０５やステップＳ１０６でタイムアウト、中断指示を認識した場合、読み取り済みの表面６００ａのみ処理される。印刷用紙６０２は表面６０２ａのみ印字、裏面６０２ｂは白紙となり、これが図５の中断フロー（Ｓ１１０〜Ｓ１１２）の処理を実行した際の成果物となる。
【００６５】
図７の（ｃ）は本実施例における中断された手動両面読み取り・両面印刷コピーを再開した際の原稿６００と印刷用紙６０２を示した図である。ＡＤＦの原稿投入口３０２には図７の（ｃ）の原稿６００の裏面６００ｂ、つまり図７の（ｂ）の原稿裏面６００ｂを読み取るようにセットするようにユーザに指示する。同様にカラープリンタ１１６の給紙口には図７の（ｂ）の印刷用紙裏面６０２ｂの白紙面に原稿を印刷できるようにセットするようにユーザに指示する。この状態で中断処理の再開、図６のＳ２０１〜Ｓ２０７を実施すると、原稿６００の裏面６００ｂのみ読み取り、印刷された図７の（ｃ）の印刷用紙６０２のような成果物が得られる。原稿の表面６００ａが印刷用紙６０２ａに印刷され、原稿の裏面６００ｂが印刷用紙のもう一方である印刷用紙６０２ｂに印刷されるので、結果図７の（ａ）の印刷用紙６０１と同じ成果物が取得できることになる。
【００６６】
上記のような手段をとることにより、まず手動両面読み取り・両面印刷コピー中断時に表面印刷済みの印刷結果が取得できる。続けて、再開時には表面印刷済みの用紙の裏面に対して原稿裏面が印刷されるので、中断することなく手動両面読み取り・両面印刷コピーを実行した時と同じ成果物が得られる。この際、片面読み取りコピーを２回繰り返すことによって発生する可能性がある裏写り等の問題や、片面印刷後の印刷結果の並び替え等の作業に煩わせることも無い。これによりユーザは気軽に手動両面読み取り・両面印刷コピー処理の中断を実施することが可能になる。結果、ユーザの操作待ちによる画像形成装置の無駄な専有の削減につながる。また、手動両面読み取り・両面印刷コピー処理を中断しても、中断により画像形成装置の記憶手段が専有されることが無いため、次ユーザは空いた記憶手段を生かしたコピー処理やプリント処理等の画像形成装置の機能の実行が可能になる。これらの結果、画像形成装置の効率の良い運用が可能になる。
【００６７】
また、本実施例においてはＡＤＦの原稿投入口３０２に積載された全原稿読取後にタイムアウト、中断された場合を取り上げたが、表面、裏面読み取りそれぞれのページ間で中断した場合でも同様の効果を得ることができる。この際には、中断しなかった場合と同じ成果物が得られるように原稿、印刷物を適切な形で読み取り手段、記録手段にセットしてやる必要がある。
【実施例２】
【００６８】
本実施例では手動両面読み取り・２ｉｎ１印刷コピーに関する実施例を記載する。ここでいう２ｉｎ１とは２つ原稿を読み取り、それを指定された印刷用紙の一方の面に並べて印刷する機能のことである。更に手動両面読み取り・２ｉｎ１印刷の組み合わせでは原稿の表面・裏面を前記２つの原稿として扱うものとする。
【００６９】
図８は、コピー処理実行時、操作部１０５に表示される画面である。
【００７０】
画面７００は待機画面であり設定ボタン７００ａを押下されると７０１のコピー設定画面に遷移する。モノクロボタン７００ｂあるいはカラーボタン７００ｃを押下されるとコピー処理を開始する。モノクロボタン７００ｂ押下の場合にはモノクロ印刷、カラーボタン７００ｃ押下の場合にはカラー印刷を行う。
【００７１】
画面７０１はコピーに関する各種の設定を行う画面である。ボタン７０１ａから７０１ｄを押下されると各設定を行う画面に遷移する。
【００７２】
画面７０２は、コピーに関する設定の中で読取の設定を行う画面である。ボタン７０２ａにより片面読取が設定された場合には、コピー実行時に原稿の表面のみを読取って印刷を行う。ボタン７０２ｂにより両面読取が設定された場合には、原稿の表面・裏面の両方を読み取って印刷を行う。
【００７３】
画面７０３は、コピーに関する設定の中で印刷の設定を行う画面である。ボタン７０３ａによって片面印刷が設定された場合には、コピー実行時に用紙の片面に一枚の原稿のみ配置・印刷を行う。ボタン７０３ｂによって２ｉｎ１印刷が設定された場合に用紙の片面に原稿の表、裏面を配置・印刷を実施する。
【００７４】
画面７０４は、原稿の表面を読み取るために、ユーザに原稿のセットを指示する画面である。読取開始ボタン７０４ａを押下されると原稿台、もしくはＡＤＦに置かれた原稿の読取りを開始する。
【００７５】
画面７０５は、原稿の裏面を読み取るために、ユーザに原稿のセットを指示する画面である。読取開始ボタン７０５ａを押下されると原稿台、もしくはＡＤＦに置かれた原稿の読取りを開始する。処理中断ボタン７０５ｂを押下されると実行中のコピー処理を中断し、中断履歴存在時のコピー待機画面７０８に移行する。この際、中断されたコピー処理の設定をタイムスタンプと共に中断履歴として関連付け、ＲＡＭ１０３に保存する。
【００７６】
画面７０６は、原稿を読取り中である旨をユーザに通知する画面である。
【００７７】
画面７０７は、印刷中である旨をユーザに通知する画面である。
【００７８】
画面７０８は、ＲＡＭ１０３に中断履歴が存在している際に表示される待機画面である。中断履歴確認ボタン７０８ａを押下されると履歴選択画面５０９へ移行し、ユーザに再開するコピー処理の選択を促す。
【００７９】
画面７０９は中断履歴の選択画面である。ＲＡＭ１０３に保存してある全ての中断履歴を履歴ボタン７０９ａ、７０９ｂのように表示し、対象をユーザに選択させる。選択後、再開決定ボタン７０９ｃを押下することで実行するコピー処理を確定させる。
【００８０】
画面７１０は再開決定ボタン７０９ｃの押下により中断したコピー処理の再開が選択された時に表示される画面である。ユーザに対して、中断したコピー処理の再開のために準備を促す。読取開始ボタン７１０ａを押下されると原稿台、もしくはＡＤＦに置かれた原稿の読み取りを開始し、画面７０６へ移行する。読み取り終了後は印刷処理への移行に同期し、画面７０７へ移行する。
【００８１】
図９は、画像形成装置においてＡＤＦ手動両面読み取り・２ｉｎ１印刷コピー実行時の処理を示すフローである。
【００８２】
本処理はＣＰＵ１０１が制御プログラムに基づき実行する。操作部１０５のＬＣＤに表示された待機画面７００において、モノクロボタン７００ｂあるいはカラーボタン７００ｃが押されると本処理を開始する。
【００８３】
ステップＳ３０１で、原稿をセットする画面７０４を操作部１０５のＬＣＤに表示し、ステップＳ３０２にて読取り開始の指示を待つ。
【００８４】
ユーザにより原稿がＡＤＦの原稿投入口３０２にセットされ、操作画面７０４の読取開始ボタン７０４ａが選択されると、ステップＳ３０３で原稿読取り中画面７０６を操作部１０５のＬＣＤに表示する。そして、読取り制御部１０６によりＡＤＦの原稿投入口３０２におかれた複数の原稿を順次読み取る。本ステップによってＡＤＦの原稿投入口３０２に搭載された全ての原稿の表面を読み取り、画像データに変換した後、画像メモリ１０４に記憶する。
【００８５】
次に、ステップＳ３０４で原稿の裏面を読み取ることができる状態でＡＤＦの原稿投入口３０２にセットするように促す画面７０５を操作部１０５のＬＣＤに表示し、ステップＳ３０７にてユーザからの読取り開始の指示を待つ。ユーザにより原稿がＡＤＦの原稿投入口３０２にセットされて操作画面７０５の読取開始ボタン７０５ａが選択されると、ステップＳ３０８で原稿読取り中画面７０６を操作部１０５のＬＣＤに表示する。そして、読取り制御部１０６によりＡＤＦの原稿投入口３０２におかれた複数の原稿を順次読み取る。本ステップによって全ての原稿の裏面を読み取り、画像データに変換した後、画像メモリ１０４に記憶する。
【００８６】
ステップＳ３０９において、コピー実行中画面７０７を操作部１０５のＬＣＤに表示する。そして、画像メモリ１０４に記憶した画像データを印刷設定に従って記録画像処理制御部１１４により印刷データに変換し、記録制御部１１５とカラープリンタ１１６により印刷する。本実施例では２ｉｎ１印刷が指定されているので、カラープリンタ１１６にセットされている印刷用紙のサイズ情報を取得し、記録制御部１１５において原稿の変倍率とレイアウトを算出する。算出後、それに従い画像データを変換、並べ、印刷する。
【００８７】
上記ステップＳ３０４において、ユーザに対して原稿の裏面を読み取ることができる状態でＡＤＦの原稿投入口３０２にセットすることと、読取の開始指示の実行を促した状態に移行するう。その後、ＣＵＰ１０１は内部タイマを用い、ユーザからの指示が無い時間のカウントを開始する。ステップＳ３０５においてこの時間が一定時間時間経過したことが認識できた場合、タイムアウトと判断し、他のユーザが画像処理装置を使えるようにするために手動両面読み取りコピーの処理中断フロー（ステップＳ３１０〜ステップＳ３１２）に移行する。
【００８８】
同様に、上記ステップＳ３０４において、ユーザに対して原稿の裏面を読み取ることができる状態でＡＤＦの原稿投入口３０２に原稿をセットすることと読取の開始指示の実行を画面５０５で促す。その後から、ステップＳ３０７において読取開始ボタン７０５ａが押下され裏面の読取が開始されるまでの間、ステップＳ３０６で処理の中断指示の有無を監視する。ユーザが中断ボタン７０５ａを押したことが認識できた場合、画像形成装置は他のユーザによる割り込み処理が発生したと認識する。そして割り込みユーザが装置を使えるようにするために手動両面読み取りコピー処理の中断フロー（ステップＳ３１０〜ステップＳ３１２）を実行する。
【００８９】
手動両面読み取りコピー処理の中断フローでは、ステップＳ３１０において、それまで実行していた手動両面読み取りコピーの設定情報をその履歴と共にＲＡＭ１０３に保存する。この履歴には、画面７０１、７０２、７０３で設定された設定情報、中断時のタイムスタンプや実行ユーザを特定するための情報等、中断した手動両面読み取り・２ｉｎ１印刷コピー処理のジョブを選択するための詳細情報も含まれている。
【００９０】
ステップＳ３１１において、記録制御部１１５に対して、それまで設定されていた２つの原稿を用いた２ｉｎ１印刷設定から１つの原稿を用いた割り付け印刷設定への切り替えを指示する。割り付け印刷の際、カラープリンタ１１６にセットされている印刷用紙のサイズ情報を取得し、記録制御部１１５において算出した原稿の変倍率とレイアウトに関する情報は２つの原稿を用いた２ｉｎ１印刷設定の時のまま処理を実行する。
【００９１】
ステップＳ３１２において、ステップＳ１０３において画像メモリ１０４に保存していた原稿の表面の画像データを印刷する。
【００９２】
これらステップＳ３１０からステップＳ３１２の手動両面読み取りコピーの処理中断フローを通すことで、２ｉｎ１印刷時に実施される変倍とレイアウトがされたコピー出力が成果物として出来上がる。
【００９３】
図１０は、図９のステップＳ３１０〜ステップＳ３１２の手動両面読み取りコピーの処理中断フローにおいて処理が中断された際のフローである。中断後、２ｉｎ１印刷において表面のみ印刷されたコピー成果物を取得したユーザが両面読み取り、かつ２ｉｎ１印刷された成果物を取得するためにコピー処理を再開するものとする。
【００９４】
ステップＳ４０１で、図９のステップＳ３１０においてＲＡＭ１０３に保存した中断履歴が存在するかどうかを確認する。履歴が存在しない場合には中断された手動両面読み取り・２ｉｎ１印刷コピー処理の再開フローではないので図９のステップＳ３０１へ移行する。存在する場合にはステップＳ４０２へ移行する。
【００９５】
ステップＳ４０２で、操作部１０５のＬＣＤに中断履歴存在時のコピー待機画面７０８を表示し、ユーザが再開する手動両面読み取り・２ｉｎ１印刷コピー処理のジョブを選択し、再指示されるのを待つ。
【００９６】
ステップＳ４０３において、履歴確認ボタン７０８ａが押下されたことを認識したら、履歴選択画面７０９を操作部１０５のＬＣＤに表示する。次に決定ボタン７０９ｃが押下されたことを認識したら、選択されている中断履歴７０９ｂの再開が指示されたと認識し、中断した手動両面読み取り・２ｉｎ１印刷コピー処理の再開フローを開始する。
【００９７】
ステップＳ４０４において、操作部１０５のＬＣＤに再開時の処理中画面７１０を表示する。画面７１０を表示することでユーザに原稿の裏面を読み取るための準備を促す。この際、ＡＤＦの原稿投入口３０２への原稿セットの仕方として、手動両面読み取りコピーの裏面を読み取る際と同じ図３の４０３のようにセットすることも指示する。同時に、カラープリンタ１１６の給紙口に図９のＳ３１２で出力された２ｉｎ１印刷の表面のみ印刷されたコピー結果に、新たに読み取った原稿を印刷するための準備も促す。
【００９８】
ユーザによって、原稿のセット、用紙のセットがされ処理中画面７１０の読取開始ボタン７１０ａが押されたら、ステップＳ４０５において、ＲＡＭ１０３に保存された中断履歴に基づき、中断前に反映されていた設定情報を各制御部に反映させる。記録制御部１１５に対しては中断せずに両面読取、２ｉｎ１印刷した時と同じレイアウト配置になるように読取画像データの印刷順序を指定する。
【００９９】
ステップＳ４０６において、ＡＤＦの原稿投入口３０２に置かれた複数の原稿を順次読み取り、操作部１０５のＬＣＤには読取中画面７０６を表示する。読み取った画像は画像データに変換し、画像メモリ１０４に記憶する。
【０１００】
ステップＳ４０６において、ＡＤＦの原稿投入口３０２に置かれた複数の原稿を順次読み取り、操作部１０５のＬＣＤには読取中画面７０６を表示する。読み取った画像は画像データに変換し、画像メモリ１０４に記憶する。
【０１０１】
ステップＳ４０７において、コピー中画面７０７を操作部１０５のＬＣＤに表示する。そして、画像メモリ１０４に記憶した読取り画像データを、ステップＳ４０５において反映させた設定に従って、記録画像処理制御部１１４を用い、印刷データに変換する。変換後、同じくステップＳ４０５において反映させた設定で記録制御部１１５、カラープリンタ１１６を制御し、印刷データを印刷する。この際、画像メモリに対してはページ順が降順に、かつ原稿の向きが天地逆になって格納されるが、記憶制御部１１５で１ページ目から順になるように並び替えられ、かつ向きも天地を反転させて印刷する。全原稿のコピー処理が終了したら、ＲＡＭ１０３に保存されていた、ステップＳ４０３において選択され、再開し、印刷完了した手動両面読み取り・２ｉｎ１印刷コピー処理のジョブの中断履歴を削除する。
【０１０２】
図１１は、本実施例における読み取り対象となる原稿と成果物である印刷物の概略図である。
【０１０３】
図１１の（ａ）は本実施例における手動両面読み取り・２ｉｎ１印刷を中断することなく実行した際の原稿８００と印刷用紙８０１を示した図である。まず、ＡＤＦの原稿投入口３０２に置かれた原稿の表面８００ａを読み取り、次に原稿の裏面８００ｂを読み取る。読み取られたデータは画像データに変換後、画像メモリ１０４に保存され、記録制御部１１５とカラープリンタ１１６により変倍、レイアウト調整され、表面８００ａと裏面８００ｂがそれぞれ印刷用紙上の領域８０１ａ、８０１ｂに印刷される。この印刷結果が手動両面読み取り・２ｉｎ１印刷コピー処理の実行を指示したユーザが所望する成果物であり、図９の中断が無いフロー（Ｓ３０１〜Ｓ３０９）の処理を実行した際の成果物となる。
【０１０４】
図１１の（ｂ）は本実施例の手動両面読み取り・２ｉｎ１印刷を中断した際の原稿８００と印刷用紙８０２を示した図である。ＡＤＦの原稿投入口３０２に置かれた原稿８００の表面８００ａを読み取り、図９のステップＳ３０５やステップＳ３０６でタイムアウト、中断指示を認識した場合、読み取り済みの表面８００ａのみ処理される。印刷用紙８０２は表面が印刷される領域８０２ａのみ印字、裏面が印字される領域８０２ｂは白紙となり、これが図９の中断フロー（Ｓ３１０〜Ｓ３１２）の処理を実行した際の成果物となる。
【０１０５】
図１１の（ｃ）は本実施例における中断された手動両面読み取り・２ｉｎ１印刷を再開した際の原稿８００と印刷用紙８０２を示した図である。ＡＤＦの原稿投入口３０２には図１１の（ｃ）の原稿８００の裏面８００ｂ、つまり図１１の（ｂ）の原稿裏面８００ｂを読み取れるようにセットするようにユーザに指示する。同様にカラープリンタ１１６の給紙口には図１１（ｂ）の裏面印刷予定の領域８０２ｂに原稿を印刷できるようにセットするようにユーザに指示する。この状態で中断処理の再開、図１０のＳ４０１〜Ｓ４０７を実施すると、原稿８００の裏面８００ｂのみ読み取り、印刷された図１１の（ｃ）の印刷用紙８０２のような成果物が得られる。原稿８００の表面８００ａが印刷用紙８０２の領域８０２ａに印刷され、原稿８００の裏面８００ｂが印刷用紙８０２の領域８０２ｂに印刷されるので、結果、図１１の（ａ）の印刷用紙８０１と同じ成果物が取得できることになる。
【０１０６】
上記のような手段をとることにより、まず手動両面読み取り・２ｉｎ１印刷コピー中断時に表面原稿印刷済みの印刷結果が取得できる。続けて、再開時には表面原稿印刷済みの用紙に対して原稿裏面が印刷されるので、中断することなく手動両面読み取り・２ｉｎ１印刷コピーを実行した時と同じ成果物が得られる。この際、片面読み取りコピーを２回繰り返すことによって発生する可能性がある片面印刷後の印刷結果の並び替え等の作業に煩わせることも無い。これによりユーザは気軽に手動両面読み取り・２ｉｎ１印刷コピー処理の中断を実施することが可能になる。結果、ユーザの操作待ちによる画像形成装置の無駄な専有の削減につながる。また、手動両面読み取り・２ｉｎ１印刷コピー処理を中断しても、中断により画像形成装置の記憶手段が専有されることが無いため、次ユーザは空いた記憶手段を生かしたコピー処理やプリント処理等の画像形成装置の機能の実行が可能になる。これらの結果、画像形成装置の効率の良い運用が可能になる。
【０１０７】
また、本実施例においてはＡＤＦの原稿投入口３０２に積載された全原稿読取後にタイムアウト、中断された場合を取り上げたが、表面、裏面読み取りそれぞれのページ間で中断した場合でも同様の効果を得ることができる。この際には、中断しなかった場合と同じ成果物が得られるように原稿、印刷物を適切な形で読み取り手段、記録手段にセットしてやる必要がある。
【符号の説明】
【０１０８】
１０１  ＣＰＵ、１０２  ＲＯＭ、１０３  ＲＡＭ、１０４  画像メモリ、
１０５  操作部（ＬＣＤ）、１０６  読取制御部、１０７  読取部（ＣＳ）、
１０８  シート読み取り制御部（ＡＤＦ）、１０９  ブック読み取り制御部、
１１０  データ変換部、１１１  通信制御部、１１２  解像度変換処理部、
１１３  ＪＰＥＧ処理部、１１４  色変換部、１１５  記録制御部、
１１６  カラープリンタ、１１７  コンピュータＩ／Ｆ、
２００  情報処理端末、３０１  搬送モータ、３０２  原稿投入口、
３０３  読取済原稿置き場、
４００  手動両面読み取りコピーにおいて表面読取時にＡＤＦの原稿投入口へセットされた原稿、
５００  実施例１におけるコピー待機画面、
５０１〜５０３  実施例１における設定画面、
５０４〜５０７  実施例１における処理中画面、
５０８  実施例１における中断履歴存在時のコピー待機画面、
５０９  実施例１における中断履歴画面、
５１０  実施例１における処理中画面（再開時）、
６００  手動両面読み取り・両面コピーにおける原稿、
６０１  手動両面読み取り・両面コピーにおいて中断しなかった場合の印刷用紙、
６０２  手動両面読み取り・両面コピーにおいて中断した場合の印刷用紙、
７００  実施例２におけるコピー待機画面、
７０１〜７０３  実施例２における設定画面、
７０４〜７０７  実施例２における処理中画面、
７０８  実施例２における中断履歴存在時のコピー待機画面、
７０９  実施例２における中断履歴画面、
７１０  実施例２における処理中画面（再開時）、
８００  手動両面読み取り・２ｉｎ１コピーにおける原稿、
８０１  手動両面読み取り・２ｉｎ１コピーにおいて中断しなかった場合の印刷用紙、
８０２  手動両面読み取り・２ｉｎ１コピーにおいて中断した場合の印刷用紙
【図１】
2020205464.tif 000003
【図２】
2020205464.tif 000004
【図３】
2020205464.tif 000005
【図４】
2020205464.tif 000006
【図５】
2020205464.tif 000007
【図６】
2020205464.tif 000008
【図７】
2020205464.tif 000009
【図８】
2020205464.tif 000010
【図９】
2020205464.tif 000011
【図１０】
2020205464.tif 000012
【図１１】
2020205464.tif 000013